【事件の表示】
　特願２００６−１４５９０４「印鑑基材と印鑑並びに装飾具」拒絶査定不服審判事件〔平成１９年　６月２１日出願公開、特開２００７−１５２９３１〕について、次のとおり審決する。
【結　論】
　本件審判の請求は、成り立たない。
【理　由】
第１　手続の経緯
　本願は、平成１８年４月２４日（優先権主張平成１７年１１月９日）の出願であって、平成２０年１０月１５日に手続補正がなされ、同年１０月２９日付けで拒絶査定がなされ、これに対して、同年１２月２４日に拒絶査定不服審判が請求されるとともに、平成２１年１月２３日に手続補正（以下「本件補正」という。）がなされたものである。
　
第２　本件補正の却下の決定
〔結論〕
　本件補正を却下する。
　
〔理由〕
１　補正の内容
（１）本件補正は、特許請求の範囲及び明細書についてするもので、特許請求の範囲については、本件補正前に、
「　　【請求項１】
成形物に彩色図柄を施した印面収納台付成形物を一端が閉塞された透明な筒体に挿入し、前記成形物の周囲の前記筒体に彩色図柄を施した印鑑基材。
　　【請求項２】
成形物に立体小物及び、又は平面状物体を貼付した請求項１の印鑑基材。
　　【請求項３】
筒体の上端部に凹面があり絵柄シールを貼付した請求項１乃至請求項２の印鑑基材。
　　【請求項４】
印面収納台に印面材を取り付けた請求項１乃至請求項３の印鑑基材。
　　【請求項５】
印面収納台に台座を取り付けた請求項１乃至請求項４の印鑑基材。
　　【請求項６】
印面収納台付成形物が透明な筒体から取り外し可能な請求項１乃至請求項５の印鑑基材。
　　【請求項７】
印面収納台付成形物の成形物が印面収納台や台座から取り外し可能な請求項１乃至請求項６の印鑑基材。
　　【請求項８】
印面収納台にキャップを取り付けた請求項１乃至請求項７の印鑑基材。
　　【請求項９】
筒体の内周面に彩色図柄を施した請求項１乃至請求項８の印鑑基材。
　　【請求項１０】
請求項１乃至請求項９に記載の印鑑基材を使用した印鑑。
　　【請求項１１】
成形物の周囲に彩色図柄を施した一端が閉塞された透明な筒体に彩色図柄を施した成形物、又は立体小物及び、又は平面状物体を貼付した成形物を挿入したことを特徴とする装飾具。」
とあったものを
「　　【請求項１】
成形物に彩色図柄を施した印面収納台付成形物を一端が閉塞された透明な筒体に挿入し、前記成形物の周囲の前記筒体に印刷、転写、又は彩色図柄を設けた透明シートを挿入して彩色図柄を施した印鑑基材。
　　【請求項２】
成形物に立体小物及び、又は平面状物体を貼付した請求項１の印鑑基材。
　　【請求項３】
請求項１又は請求項２に記載の印鑑基材を使用した印鑑。」
に補正するものである。
　　
（２）上記（１）の特許請求の範囲についての補正は、本件補正前の請求項１の発明特定事項である「『成形物の周囲の前記筒体』に施した『彩色図柄』」について「印刷、転写、又は彩色図柄を設けた透明シートを挿入して」施すとの限定をするとともに、本件補正前の請求項３ないし９、１１を削除し、さらに、本件補正前の請求項１０において、引用していた請求項から上記削除した請求項３ないし９を削除したうえで、この請求項１０を新たに請求項３とするものである。
　
　したがって、本件補正後の特許請求の範囲に係る補正は、平成１８年法律第５５号改正附則第３条第１項によりなお従前の例によるとされる同法による改正前の特許法第１７条の２第４項第１号の請求項の削除及び同第１７条の２第４項第２号の特許請求の範囲の減縮を目的とするものである。
　
　そこで、本件補正後の請求項１を引用する請求項３に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
 ２　刊行物
　原査定の拒絶の理由に引用された「本願の優先日前に頒布された刊行物である登録実用新案第３１０２６１５号公報（以下「引用例」という。）」には、次の事項が記載されている。（下線は審決で付した。以下同じ。）
　
（１）　「【請求項１】
透明印材上部本体（１）に、凸部（３）を設けたドーム（２）を形成し、この前記本体に、脱着可能にして緊合する、印材下部本体（４）を設け、この印材下部本体（４）には固定爪（５）と印材彫刻部（６）を配して設け、さらにこの印材下部本体（４）の背面部（７）に対して脱着交換可能に固定した、ミニモニュメント（８）
を設けて、これらをドーム（２）に合わせて印材下部本体（４）と共に、透明印材上部本体（１）に緊合装着してなる印鑑
　
（２）「【０００６】
印鑑本体が透明になった効果は大きく、封入体には液体や砂その他を設けられるので、多様で豊かな遊び感覚がさらに大きく広がり、もちろん、お洒落でもある。
また、
観音さんや大仏像や動物、その他のミニモニュメント
　
（３）　「【００１２】
  そして、
観音様や大仏像、動物像を入れたものであれば、眺めて楽しめる
　
（４）図４の記載から、ミニモニュメント８と固定爪５が透明印材上部本体１に挿入されていると見て取れる。
　
（５）上記（１）ないし（４）から、引用例には、
「透明印材上部本体に、凸部を設けたドームを形成し、この前記本体に、脱着可能にして緊合する、印材下部本体を設け、この印材下部本体には固定爪と印材彫刻部を配して設け、さらにこの印材下部本体の背面部に対して脱着交換可能に固定した、眺めて楽しめるミニモニュメントを設けて、これをドームに合わせて印材下部本体と共に、透明印材上部本体に緊合装着してなり、ミニモニュメントと固定爪が透明印材上部本体に挿入されてなる印鑑。」
の発明（以下「引用発明」という。）が記載されているものと認められる。
　
３　対比
　本願補正発明と引用発明とを対比する。　
（１）　引用発明の「『凸部を設けたドームを形成し』た『透明印材上部本体』」、「『印材下部本体』と『印材下部本体の背面部に対して脱着交換可能に固定したミニモニュメント』」、「ミニモニュメントと固定爪が透明印材上部本体に挿入」及び「印鑑」は、それぞれ、本願補正発明の「一端が閉塞された透明な筒体」、「印面収納台付成形物」、「印面収納台付成形物を一端が閉塞された透明な筒体に挿入」及び「印鑑」に相当する。
　
（２）　引用発明の「『凸部を設けたドームを形成し』た『透明印材上部本体』」と当該透明印材上部本体と緊合装着された『印材下部本体』と『印材下部本体の背面部に対して脱着交換可能に固定したミニモニュメント』」とは、印材下部本体に印材彫刻部を配して設けて印鑑としているので、印鑑基材と認められる。
　したがって、引用発明の「『凸部を設けたドームを形成し』た『透明印材上部本体』」及び「『印材下部本体』と『印材下部本体の背面部に対して脱着交換可能に固定したミニモニュメント』」と、本願補正発明の一端が閉塞された透明な筒体及び印面収納台付成形物とは、印鑑基材で一致する。
　
（３）　上記（１）及び（２）からみて、本願補正発明と引用発明とは、
「印面収納台付成形物を一端が閉塞された透明な筒体に挿入した印鑑基材を使用した印鑑。」である点で一致し、
次の相違点で相違する。
　
相違点１：本願補正発明においては、印面収納台付成形物に彩色図柄を施しているのに対し、引用発明では、ミニモニュメントに彩色図柄を施しているのか明らかでない点。
　
相違点２：本願補正発明においては、印面収納台付成形物の周囲の筒体に印刷、転写、又は彩色図柄を設けた透明シートを挿入して彩色図柄を施しているのに対し、引用発明においては、そのような彩色図柄を施しているのか明らかでない点。
　
４　判断
（１）　相違点１について
　引用発明のミニモニュメントは眺めて楽しめるのもであり、眺めて楽しめる物に彩色図柄を設けることは一般に行われていることから、ミニモニュメントに彩色図柄を施すことは、当業者が容易に想到することができた程度のことである。
　
（２）　相違点２について
ア　成型物が透明な筒体に挿入され、成型物の周囲の前記筒体に彩色を施すことは、本願の優先日前に周知である（例．実願昭５９−１５９５６７号（実開昭６１−７４４８４号）のマイクロフィルム（第３頁第１１行〜第６頁第１３行、第２図及び第３図参照。「商品の実物サンプル，模型，説明パンフレット等の任意の物品６」、「透明筒体３」及び「『透明筒体３は、無色透明のみならず有色透明，半透明でもよい。』又は『透明筒体３の側壁３ｇの表面または内面に商号，商標，商品名等を示す文字，図形，記号等を印刷または彫刻して表示することができる』」が、それぞれ「成型物」、「透明な筒体」及び「成型物の周囲の前記筒体に彩色を施す」に相当する。）、実願平３−６４３５１号（実開平５−９９８９号）のＣＤ−ＲＯＭ（【０００６】、【０００９】及び図１参照。「筒体重り４」、「『透明性を有する』『軸筒１』」及び「『軸筒１は透明性を有するものであれば、適宜、模様をほどこしたものでもよくまた、透明度に明暗を付与したものでもよい。』又は『筒体重り４の表面に模様を形成しまた、軸筒１の透明部に薄い着色をほどこしておくなど、適宜、両者１，４に加飾する』」が、それぞれ「成型物」、「透明な筒体」及び「成型物の周囲の前記筒体に彩色を施す」に相当する。）、実願昭５９−２０３４５号（実開昭６０−１３１５５７号）のマイクロフィルム（第１頁第４行〜第８行、第２頁第４行〜第１４行、第３頁第１０行〜第１３行及び第１図参照。「収納商品１」、「透明な軟質合成樹脂製の筒体３」及び「筒体３の一部に着色部１１を設けて色彩デザイン的効果を高めることができる。この場合、着色部１１に色抜き文字１２を表示させることが可能である。」が、それぞれ「成型物」、「透明な筒体」及び「成型物の周囲の前記筒体に彩色を施す」に相当する。）、以下「周知技術」という。）。
　
イ　引用発明は眺めて楽しめるものであることから、引用発明に周知技術を採用して彩色を施し、その際より眺めて楽しめるよう彩色図柄とし、さらに、慣用技術である印刷又は転写による彩色手段を採用することは、当業者が容易に想到することができた程度のことである。
　　
ウ　してみれば、引用発明の印鑑において、ミニモニュメントの周囲の透明印材上部本体に印刷又は転写して彩色図柄を施すことは、当業者が、周知技術に基づいて容易になし得た程度のことである。
　
エ　上記ウの「ミニモニュメントの周囲の透明印材上部本体に印刷又は転写して彩色図柄を施すこと」は、本願補正発明の「成形物の周囲の前記筒体に印刷又は転写して彩色図柄を施」すことに相当するから、上記アないしウからみて、引用発明の印鑑において、上記相違点に係る本願補正発明の構成となすことは、当業者が、周知技術に基づいて容易になし得た程度のことである。
　
（３）　効果について
　本願補正発明の奏する効果は、引用発明及び周知技術が各々奏する効果から当業者が予測できたものである。
　
（４）　まとめ
　したがって、本願補正発明は、当業者が、引用例に記載された発明及び周知技術に基づいて容易に発明をすることができたものであるから、特許法第２９条第２項の規定により特許出願の際独立して特許を受けることができないものである。
　
５　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものであり、同法第１５９条第１項において読み替えて準用する同法第５３条第１項の規定により却下すべきものである。
　
第３　本願発明について
１　本願発明
　本件補正は上記のとおり却下されたので、本願の請求項に係る発明は、平成２０年１０月１５日付け手続補正によって補正された明細書及び図面の記載からみて、その特許請求の範囲の請求項１ないし１１に記載された事項によって特定されるものであるところ、請求項１を引用する請求項１０に係る発明（以下「本願発明」という。）は、上記「第２〔理由〕１（１）」で、本件補正前の請求項１を引用する請求項１０として記載したとおりのものである。
　
２　引用刊行物の記載
　原査定の拒絶の理由で引用された引用例及びその記載事項は、上記「第２〔理由〕２」に記載したとおりである。
　
３　対比・判断　
　本願発明は、上記第２で検討した本願補正発明において、その発明を特定するために必要な事項である「『成形物の周囲の前記筒体』の『彩色図柄』」について「印刷、転写、又は彩色図柄を設けた透明シートを挿入して」施すとの限定を削除したものに相当する。
　そうすると、本願発明の構成要件をすべて含み、さらに限定を付加したものに相当する本願補正発明が、上記「第２〔理由〕４」に記載したとおり、当業者が、引用例に記載された発明及び周知技術に基づいて容易に発明をすることができたものであるから、本願発明も同様の理由により、当業者が、引用例に記載された発明及び周知技術に基づいて容易に発明をすることができたものである。
　
４　むすび 
　以上のとおり、本願発明は、当業者が、引用例に記載された発明及び周知技術に基づいて容易に発明をすることができたものであるから、特許法第２９条第２項の規定により特許を受けることができない。
　よって、結論のとおり審決する。